(57)【要約】      （修正有）【課題】裁縫に於ける針への糸通しと糸切りが容易に行えて、糸の取扱いや、針の管理も容易に行える機能と構造を加えた道具と針を提供する。【解決手段】親指にルーペの保持具を付けたり裁縫箱にルーペの保持具や保持機能を有するルーペを付けた。高齢化によって損なった歯の身体機能を補うために糸切り歯を道具に機能として加える事で小バサミが手元に無くても手元にある糸巻きやルーペや指ぬきやピンクッションや虫眼鏡に付けた刃で着る事が出来るようにした。また、縫い針の管理も容易なように裁縫箱から落ちないように箱の底にゴムマグネットを敷いて固定することで磁石が針箱の中で抜け落ちた針を吸い付ける構造にして危険を軽減する。形状記憶合金を使う場合も針は検針器で感知可能の材質を加えて作り磁石での吸着も可能にする【選択図】図１
2005066357.tif 000002
【特許請求の範囲】
【請求項１】
手縫いのとき糸を針穴に通す事を容易にする事を目的として正面の断面が楕円形となるメリケン針の形状の特質を活用する事で針に裏面と表面の形状を作り表面から糸を通す形状とし糸を導く針穴の溝を従来より大きく取る事で糸を通しやすくなしても従来の糸と同じ強度を維持して運針時に指ぬきで針を強く押し込んでも使える構造の縫い針
【請求項２】
糸を通す針穴の部分をバネ構造にすることで針穴部分が線加工品のバネにカーブをつけて広げて元の形状に戻ろうとして針穴が広がる事によって針穴に糸を通し易い構造で縫合の時に針が布を通る事で糸を通してある針穴に該当するバネ部分が布に開いた針の穴を通る時に布の穴を通るための圧力によって針と同じ太さの細い形状に変化するように針穴のバネ部分がスライドして動くことで針と同じ太さになるように針の内部構造を針の表面の断面の円形を活かして円の中心に細い穴をあける事で作りバネ部分には折り曲げて差し込むと抜けない形状のフック状にしたバネ部分と縫い針本体の内側にフックの引っかかり部分を有する縫い針であり通常はバネ部分が糸を通し易いように広がっているのでピンクッションの奥に入り込みずらい利点もあり、しかも縫い針の強度も損なわずに運針時に通常の針と同様に指ぬきを使える強度と構造の縫い針でバネ部分を一体構造で加工した縫い針
【請求項３】
注射針のパイプ状の針を熱で膨張させてパイプ部分の穴の内径を一時的に大きくして中に円筒状のバネを差し込んでパイプ部分が冷えて太さが戻ると圧力により針の中心の円筒部分のバネが固定される方式で針穴状の部分より後ろ側のパイプ部分は線加工品のバネがスライドしてピストン運動が出来るようにドリルで穴を広げてバネを通して針の頭部分（後ろの指ぬきで押す部分）の穴は溶かして塞いだ形状の縫い針であり針の中心のバネを通してスライドさせる穴は細い注射針の構造に似ているが横斜めに穴をあけるのでドリルやレーザー光線や水や空気を高圧で吹き付けて穴をあけたり削る方法で製造された針で通常はバネ部分が糸を通し易いように広がっているのでピンクッションの奥に入り込みずらい利点もあり、しかも縫い針の強度も損なわずに運針時に通常の針と同様に指ぬきを使える強度と構造の縫い針でバネ部分は一本の針金状の物で針穴に該当する部分がカーブして通常はバネ部分が糸を通し易い形状に広がっている縫い針
【請求項４】
糸を巻いている紙や木の台紙にフレネルレンズの拡大レンズを組み合わせて台紙と凸レンズの厚みをあまり変える事無く糸と針穴を拡大して見る事が出来ると同時に親指に台紙を保持機能として紙や樹脂やゴムなどで固定して親指と人差し指の間の糸を見やすい形状にすると同時に握りバサミが手元になくても糸を切る事が出来るように糸切り用の金属か樹脂かセラミックの刃を付ける事で糸の先が綺麗に揃って切れるので針穴に通せるようにできる構造の糸巻き用台紙
【請求項５】
糸巻き用の台紙の現在は紙で作られている部分をプラスチック形成の金型を使って渦巻き条の構造によって薄い形状にする凸レンズの１種であるフレネルレンズでも通常の凸レンズを付けると同時に親指に台紙の保持機能としてビニールやゴムや布やベルクロなどを使い固定することで親指と人差し指の間に持った糸が見やすい位置に来る形状でルーペと糸切り刃の部分は糸巻き用の台紙と一体構造として作りセロハンテープをカットするアタッチメントのようなギザギザのノコギリ状の形状の刃か樹脂の強度によっては鋭利な刃を安全な形状と位置に付けて小バサミが手元になくても糸を切る事が出来る構造と機能も有した透明な樹脂製の糸巻き用台紙及びレンズ部分は透明にして台紙と糸切り刃を黒いハンガーのプラスチックなどを再利用するなどして色の付いた樹脂で作った糸巻き用の台紙
【請求項６】
小バサミ（糸切りバサミ・にぎりばさみ）にルーペを付けて針穴に糸を通すときは針穴が見える位置として親指用の保持具をハサミの鞘部分に付けたハサミ
【請求項７】
ルーペに親指用の保持具を付けて固定出来てしかも糸切りバサミの代用できる刃を付けたルーペであり親指用の保持具をマグネットに取り替えることで冷蔵庫の鉄の部分に磁力で張り付けて薬味袋や調味料（醤油やソースやマヨネーズなど）を入れた小さな袋に切り込みが無かったり見当たらない場合はルーペで良く見て手で開封出来なければルーペに付いた刃で切り込みを入れて開封したりインスタント食品の調理手順の文字を確認したり賞味期限や消費期限を確認するなど裁縫道具から台所用品への転用も可能なルーペであり糸切り刃が付き親指に保持して糸と針穴を見る事が出来るルーペ
【請求項８】
指ぬき（Ｔｈｉｍｂｌｅ）にルーペを嵌装して糸通しの時に親指にはめることで針穴が見える構造と形状の物に安全な位置に糸切り刃を付けた指ぬき
【請求項９】
針刺し（Ｐｉｎ  ｃｕｓｈｕｏｎ・ピンクッション）にルーペ（虫眼鏡）を付けピンクッションを親指に固定出来る保持具を付けた針刺し
【請求項１０】
ピンクッションに差し込める構造のルーペで糸通しする時は、親指に付ける保持具の付いた構造と糸切り刃の付いたルーペ
【請求項１１】
裁縫箱（針箱）にルーペを保持する機能で使用する時に折曲可能状態で収納したルーペを使用可能状態に折曲させて高さはスライドさせて動かすことで調節して焦点を合わせる機能を有する精密機械修理用の顕微鏡の足のような役割を針箱に持たせた虫眼鏡と糸切り刃を付けピンクッションを入れる針箱の中で底の部分にゴムマグネットを取り付けることで針が輸送時の振動で抜けた場合でも紛失しないで箱の磁石にくっつく裁縫箱
【請求項１２】
糸を通す時に手軽に使うには親指にルーペを付ける保持具が必要であるため糸通しするルーペ用の金属か樹脂製の親指用保持具
【請求項１３】
指で針の真ん中から少し針先寄りの部分を指で掴んで引き抜き抜く時にツルツルの針を掴んで滑る事が無いように針の指先で持つ事になる部分の形状に凹凸をつけて針を刺す時には負荷とならないで抜くときに指と針の摩擦を増やすことで通常の針より力を入れないで済むようにした縫い針
【請求項１４】
針の太さは針を梱包している紙から出すと正確に解らなくなるのでメッキの色や色と色の組み合わせや印を付ける位置を変えるなどの方法で色分けや印にすることで針の太さを識別を可能にした縫い針とミシン針
【請求項１５】
表面をセラミックでコーディングにより覆うことで金属アレルギーを防止った縫い針と医療用注射針と金属をセラミックや樹脂にコーティング゛しないで練り込んだ素材で強度や安全性は当然の事で金属アレルギーの対策になれば、この方法の縫い針と医療用注射針
【請求項１６】
針にプラチナメッキした上にペパリンでコーティングして針の内部での血液の凝固を防止する機能を加えた医療用注射針と点滴用トンボ針
【発明の詳細な説明】
【技術分野】
【０００１】
裁縫、洋裁道具で縫い針と糸巻きと小バサミとピンクッションと指ぬきと裁縫箱と虫眼鏡（ルーペ）で手縫い作業に使用する道具である。
【０００２】
裁縫、特に洋裁を行う時に手縫いする工程で糸を針穴に通す事を容易にする為に正面の断面が楕円形となるメリケン針の形状を活用する事で針に裏表の形状を作り表面の糸を導く溝を従来より大きく取る事で糸が通りやすくなり運針時に指ぬきで針を強く押し込んでも従来の針と同じ強度を維持する構造の針を発明した。針穴部分の加工は通常の縫い針を作るのと同様の技術で可能であるが、量産までのプロトタイプとして針穴を開けて糸を導く溝を削るにはＮＣ工作機のボール盤で穴を開けたりプライス盤で削ったりが必要である。レーザー加工機で炭酸ガスレーザーやＹＡＧレーザーによる精密穴あけが出来れば容易である。
【０００３】
和針や和裁用のつむぎ針に関しては、糸を通す穴の部分に弾力性を持たせ弾発的（ばねのように弾力のあること）な構造にすることによって針穴に糸を通し易くして縫合の時に針が布を通る事で糸を通してある穴のバネ部分が布に開いた針の穴を貫入（つらぬいて入る）して針穴状の弾力部分を圧下（ある力を加えて押し下げる）させた状態となり貫通（つらぬき通す）するように通る時に布の穴を通るための圧力によって針と同じ太さの細い形状に変化するように針穴のバネ部分がスライドして動くように針の内部構造を針の表面の断面の円形を活かして円の中心に細い穴をあける事で作りバネ部分には形状記憶合金の技術でバネをはめ込んだら抜けないように内部の構造を引っかかる形状に内設（あるものの内側に設ける）した。指でつまんだりして持たない限り、通常は線加工品のバネが糸を通し易いように広がっているのでピンクッションに入り込まない利点もあり縫い針の強度も損なわずに運針時に通常の針と同様に指ぬきを使える構造である。形状記憶合金には温度で形状が変化するタイプと電流に反応して形状が変化するタイプがある。縫い針部分とバネ部分を一体構造にする関係から形状記憶合金で加工出来なければバネを穴に通してスライドさせる方式の縫い針も発明した。パイプ状に針を加工する課程で長い長方形の金属をパイプ状に丸める方法もあり溶着接合の時に線加工品のバネを取り付けられるように事前に削っておく方法でも良い。バネ部分の金属疲労も考慮にいれる。
【０００４】
針の中心のバネを挿通（孔などにさし通す）して通して針穴より後ろ部分に挿通する部分はスライドするように内部は遊貫（つらぬき通したものと、通されたものとの間に動くことができる）させる為に開ける穴は細い注射針の構造に似ているが横斜めに穿設（孔をあける）するのでドリルの加工が無理であればレーザー光線や水に高圧をかけて削る方法や空気圧を使う方法で可能に方法を選ぶ。糸を通す穴の部分に弾力性を持たせ弾発的（ばねのように弾力のあること）な構造にすることによって針穴に糸を通し易くして縫合の時に針が布を通る事で糸を通してある穴のバネ部分が布に開いた針の穴を貫入（つらぬいて入る）して針穴状の弾力部分を圧下（ある力を加えて押し下げる）させた状態となり貫通（つらぬき通す）するように通る時に布の穴を通るための圧力によって針と同じ太さの細い形状に変化するように針穴のバネ部分がスライドして動くように針の内部構造を針の表面の断面の円形を活かして円の中心の細いパイプ構造を活かす。指でつまんだりして持たない限り、通常は線加工品のバネが糸を通し易いように広がっているのでピンクッションに入り込まない利点もあり縫い針の強度も損なわずに運針時に通常の針と同様に指ぬきを使える構造である。一体構造と異なり注射針のパイプ状の針を熱で膨張させてパイプ部分の穴を大きくして中に円筒状のバネを差し込んでパイプ部分が冷えると溶着と圧着により針の中心の円筒部分のバネが固定される方式で後ろ側のパイプ部分は線加工品のバネをスライドさせてピストン運動が出来るようにドリルで穴の内径を広げて遊貫可能にして針の後ろ側の頭部分の穴を溶かして塞ぐ。針の後ろ側の頭部分の穴を溶かさないで線加工品のバネの長さを何十メートルにすれば「針穴にラクダを通す事も可能である」ラクダ程の針穴を作る事も出来るからである。請求項３で図３の形状も発明した。
【０００５】
形状記憶合金で針を作る場合、鉄は壊れにくいが変化しやすい。金属の固まりの中の原子の殆どが陽イオンであり通常ならプラスの電荷とプラスの電荷では反発するが自由電子が動き回ることで結びつけている。だから金属は一度形が変形すると元に形には自然と戻らないが、形状記憶合金にすると変化させても設定した温度で元の形に戻る。金属は、原子が規則正しく配列された結晶構造を有しており、分子やイオンで出来た個体にもあてはまる。力を加えても金属は原子のつながりが変わらない構造であり金属の中には温度によって結晶構造が変わる種類がある。形状記憶合金はニッケルとチタンを半々で混ぜた合金が多くオーステナイト層と言う結晶構造を有している。この合金を冷却してマルテンサイト層に結晶構造を変化させた時に力を加えて形を変えても原子の結晶は変わらないため又、熱を加えるとオーステナイト層に戻る。この時に原子のつながりが変わらないので、元の形に戻る事が出来る。この特性を使って縫い針に機能が加わるように作る。非結晶のアモルファス金属もある。セラミックで針を形成するには、ろくろ法、石膏型成形法、スリップキャスト法では大きな物を作る技術なので縫い針や注射針を作れない。ピストン成形法、ＣＩＰ法、射出成形法といった緻密な加工技術が必要である。ナノコンポジット法で作り超音波加工用振動子を使って穴を開けたりの細工が必要である。加えて弾発的（線加工品のバネ）部分もあるため超可塑性加工の為にホットプレス法も必要である。電気を流す事の出来る超伝導セラミックスがあるので磁力を持たせれば検針器や磁石にも対応させて金属の針みたいに使える。ここまでいくと加工のコストが下がるまで時間が必要である。虫歯になると差し歯やセラミックインレーやクラウンジャケットは高価である。サンプルに歯に近いコストがかかるが針は工業製品なので量産されればコストも下がる。
【０００６】
針の太さは生地の厚みと合わせなければ縫い目が汚くなるので手芸針やとじ針や毛糸針や布団針や極太毛糸用とじ針の針穴が大きい作りだからと糸の番手だけ生地に合わせて縫合には太い針を代用すると縫い目は不揃いに加えて、すくい縫いも出来ず縫い目が汚くなる。薄い素材には細い針を使用しないと千鳥がけ、普通千鳥がけ、略千鳥がけ、まつり、普通まつり、流しまつり、奥まつりという全てのすくい縫いのすくう深さが保てず表に見える糸が不均一になってしまう。この問題を解決するには生地に合った太さの針を使うしか無いので同時に組み合わせて使う事でより糸を通しやすくすることを目的に考案したルーペ付きの糸巻きで親指に止め付ける機能付きのタイプやルーペ付き握りバサミに親指に取り付ける保持具付きやピンクッション用ルーペで糸を通す時に親指に取り付ける保持具をつけて併用可能とする事で糸通しをより容易にする。
【０００７】
針穴が見えにくくなったら裁縫箱に虫眼鏡を入れておけば済む話だと考える人もいるが市販の虫眼鏡と糸を同時に持って糸を通すのは不可能である。ルーペを口にくわえるわけにもいかない。つまり糸通しの時にだけ虫眼鏡は使えない。精密機械の修理用に顕微鏡の足みたい形状の足の付いているルーペは市販されているが糸を通す為に使うには大げさすぎる。糸を通す時に手軽に使うには親指にルーペを付ける保持具が必要である。糸通しするルーペ用の保持具が必要なのでこれも発明した。保持具は親指の第２間接に支承（取り外し可能な状態で支える）ように嵌着（はめることである物をつける）し嵌脱（はめたり外したりする）可能に付ける。糸をつまむように持つとき親指の第一関節を曲げる時に出来るルーペと針や糸の間に出来る空間を利用してレンズで拡大して見られるようにする。親指の第２関節に付けると長さが足りない指ぬきは第一関節に付けるのでレンズを高くするためにアタッチメントで高さを確保するか第２関節に付ける長さを確保する構造にする。
【０００８】
同時にルーペに糸切り刃を付けたタイプのバリエーションも考案した。ルーペに親指用の保持具を付けて固定出来てしかも糸切りバサミの代用できる刃を付けたルーペであり親指用の保持具をマグネットに取り替えることでミシンの金属部分に吸着させたり冷蔵庫の鉄の部分に磁力で張り付けて薬味袋や調味料（醤油やソースやマヨネーズなど）を入れた小さな袋に切り込みが無かったり見当たらない場合はルーペで良く見て手で開封出来なければルーペに付いた刃で切り込みを入れて開封したりインスタント食品の調理手順の文字を確認したり賞味期限や消費期限を確認するなど裁縫道具から台所用品への転用も可能なキッチンルーペでもあり糸切り刃が付き親指に保持して糸と針穴を見る事が出来る。現在のミシンはミシン針用の糸通し機能付きがあるのでミシンに付けておけば糸切りに便利であると同時にミシンの糸道が外れた時に機械の説明書を読むのにルーペは便利である。
【０００９】
つまり虫眼鏡の構造は親指と人差し指で糸を持つため親指に付けることが出来る形状や保持具の機能を有するか機能を有する虫眼鏡が必要である。この基本構造を裁縫用具で糸を通してから縫い終わるのまでに使う必要最小限の種類の中で使う複数の道具に限定して発明した。
【００１０】
針穴が見えない為に糸が通しずらい問題は、解決出来たが手が若干震える場合には市販の糸通しを針穴に通してから糸を通すと良い。右効きの人は針を左手に持って糸とルーペ付き裁縫道具を右手に持って針を持った左手は動かさず糸を持った右手で針穴に糸を通す感じにする。手ぶれで糸を直接入れられなければ左手に針を持って右手に糸通しを持って左手か右手の親指にルーペを固定して糸通し（Ｎｅｅｄｉｌｅ  ｔｈｒｅａｄｅｒ）の金属を針穴に同様に通してから糸を糸通しに通して糸通しを針穴から引き抜くと糸は通る。細い針に合った糸通しを使うので針穴は、糸通しを使う場合にも見える必要がある。見えづらい場合は、左右どちらかの親指の第１関節か第２関節に保持具の構造に合わせてルーペを付けて使用する。構造によってルーペと保持具の長さが異なりレンズの拡大の倍率と凸レンズの厚みによって保持具の高さも異なるので適正な位置に指を嵌入（はめ入れる）する。
【００１１】
ルーペを使う時は、針箱にルーペを支承（取り外し可能につける）したり冠着（蓋のようにかぶせる）たりスライド式でルーペを収納可能にしたりデザインによってバリエーションを持たせる。針箱以外は、親指に挿着（押し込んでつける）して支承（取り外し可能な状態で支える）させる為に捲着（巻いた状態で付けたり）させたり捲回（巻きつける）させることで保持する。挿脱（差し込んだり外したり）可能にする。または、掴持（つかんだ状態で支持する）するアタッチメント状にするなど物やデザインで選択する。
【００１２】
糸を通さず針の穴に切り込みを入れるタイプは実用新案公開平６−４８５８８と登録実用新案第３０７３３６６と登録実用新案３０１４５３５があるが、このタイプでは運針の時に指ぬきを使うと針が針穴の形状のフック部分から折れてしまう欠点がある。特許公開２００２−２２４４８５の場合は指ぬきを使う運針をする場合にループがじゃまになる可能性があるため針の後ろに力を加える裁縫用には運針を必要としない作業に限定される。
【００１３】
この問題を克服する為に針穴の後ろから糸を引っかけるタイプの針も市販されているが縫っている途中で糸が抜けないか不安であると同時に糸を２本どりにして玉結びを行うボタン付けの場合は、太めのボタン付け糸の長さと玉結びした部分から同じ糸の長さにするためと糸に抵抗がかかる可能性もある。それで糸に傷が着くとパッカリングが起こり糸が綻びやすくなる。場合によっては解いて縫い直しとなる。無事に縫い終えると玉どめして糸を切って縫い工程は終わる。玉止めの時は、針を指で摘んで引き抜く時に滑らないように針を指でつまむ部分に凹凸を付ける。
【００１４】
和針、つむぎ針は断面が円形の為に針に裏表を設定しずらいので断面が楕円形の洋裁用メリケン針が向いてる。メリケン針にも長針は６番〜９番までと短針は１番〜１２番まであり番号が小さいもの程、針の太さは太くなる。手縫い針は、６〜９番でＮｅｅｄｉｅ  ｆｏｒ  Ｈａｎｄで長針である。ボタン、スナップ用は短針で６〜９番のＮｅｅｄｌｅが多い。針の太さは針を梱包している紙から出すと正確に解らなくなるのでメッキの色や一部色と色を付ける位置を変えるなどの方法で色分けや印にすることで針の太さを識別を可能にすると正確に選べる。銀と金のメッキで何処の部分が金になっているから何番と識別できる。ミシン針ならミシンに固定する部分でミシンに付けると後ろ側つまり針の裏側になる部分が平らになっているので太さを番号で刻印する方法もある。針部分に付けた色の位置で識別すればミシンのネジを緩めて取り外して確認にないで良い。洋服の号数を表示する為にハンガーに付いている色分けする為のアンビタッチの色分けみたいにする。カラーメッキも可能である。手縫い糸（Ｔｈｒｅａｄ  ｆｏｒ  ｈａｎｄ  ｓｅｗｉｎｇ）とボタン付け糸（Ｔｈｒｅａｄ  ｆｏｒ  ｂｕｔｔｏｎｓ）であるが手縫いで使う糸はＳ撚り（右撚り）である。ミシン糸のＺ撚り（左撚り）と異なる為、色が合っているのは当然として、手縫い糸を使う工程やボタン付け糸を使う工程かで糸の番手が合っているミシン糸（Ｔｈｒｅａｄ）を手縫いに使うと撚りが異なる為に縫っている途中で糸がバラけることがある為に予防として洋裁蝋（ロウ）を通した糸にアイロンを当ててロウで固める必要があり手間がかかる。
【００１５】
ミシン糸の５０番か６０番なら手縫いのまつり糸の代用に出来る。ミシン糸の３０番ならボタン付け糸の代用に出来る。ただし手でハトメ穴のボタンホールを縢ったりスナップを付けたり菊穴を縢と綺麗に出来ないので撚り方向がＳ字撚りの手縫い糸が最適である。現在、手縫い糸は厚紙に巻いて市販されている。小バサミ（Ｔｈｒｅａｄ  Ｃｌｉｐｐｅｒ・握りバサミ・糸切りばさみ・和ばさみの呼び名がある）で手縫い糸を斜めに切って糸を切ったら糸の先の部分が広がらない状態で糸を針に通す必要があり糸通しに失敗を繰り返すと撚って有る糸の先の撚りがバラけて広がってしまい針穴に余計入らない状態になってしまう。この場合のヨリは戻らない。
【００１６】
そこで糸を巻いている台紙にフレネルレンズの拡大レンズを組み合わせて台紙と凸レンズの厚みをあまり変える事無く糸と針穴を拡大して見る事が出来ると同時に親指に固定して親指と人差し指の間の糸を見やすい形状にすると同時に握りバサミが手元になくても糸を切る事が出来るように糸切り用の刃を付ける事で糸の先が綺麗に揃って針穴に通せるように親指に台紙を保持できる構造の糸巻きの台紙も発明した。
【００１７】
現在の手縫い糸やボタン付け糸は厚紙に糸を巻いた構造になっているが本、発明でペットボトルの樹脂を溶解樹脂にして再利用することでリサイクル可能な糸巻き用の台紙部分をプラスチック形成の金型を使って射出形成や押出形成やＴダイ法や注型法などの加工技術で品質とコストのバランスの良い方法で形成するタイプを発明した。渦巻き条の構造によって薄い形状にする凸レンズの１種であるフレネルレンズでも通常の凸レンズでも同等の機能を一体構造で作る事が可能である。工程と目的に合わせたレンズを使う。
【００１８】
糸巻き用の台紙の現在は紙で作られている部分をプラスチック形成の金型を使って渦巻き条の構造によって薄い形状にする凸レンズの１種であるフレネルレンズでも通常の凸レンズを付けると同時に親指に台紙の保持機能としてビニールやゴムや布やベルクロや特に平ゴムなどを使い固定することで親指と人差し指の間に持った糸がルーペを通して見やすい位置に来る形状でルーペと糸切り刃の部分は糸巻き用の台紙と一体構造として作りセロハンテープをカットするアタッチメントのようなギザギザのノコギリ状の形状の刃か樹脂の強度によっては鋭利な刃を安全な形状と位置に付けて小バサミが手元になくても糸を切る事が出来る構造と機能も有した透明な樹脂製の糸巻き用台紙及びレンズ部分は透明にして台紙と糸切り刃を色の付いた例えば黒いハンガーのプラスチックを溶かして再利用した樹脂などで作った糸巻き用の台紙が選べる。
【００１９】
レンズの素材には、一般的にガラスが使われるクラウンガラスと鉛を含まない環境を考慮したフリントガラスがある。水晶を科学的に作った合成石英（ＳｉＯ２）フッ化カルシウム（ＣａＦ２）フッ化リチウム（ＬｉＦ）フッ化バリウム（ＢａＦ２）岩塩（ＮａＣｌ）シリコン（Ｓｉ）ゲルマニウム（Ｇｅ）ジンクセレン（ＺｎＳｅ）やプラスチックにポリエステルなど様々な種類があるので金型の加工が容易で大量生産によってコストを下げられる方を選択して実施する。
【００２０】
紙の台紙の裏面に接着や溶着させる場合も同様である。紙の台紙に挟む場合は薄さが必要なのでフレネルレンズを使用する。糸切り用の刃は紙の台紙の場合は紙の台紙で挟んで刃で手を切らない糸はしを挟む切り込み部分に似せた構造にする。刃の素材は錆づらい金属か硬度の高い樹脂かセラミックスが良い。試験的にカッターナイフの刃を折って折れた小さい部分を厚紙に挟んだりペットボトルの切断面をセロハンテープをカットするアタッチメントのギザギザのノコギリ状の形状にしたりセロハンテープのアタッチメントのギザギザの刃部分を試したが長期間の保存による金属部分の錆を考慮して素材を選択する。糸巻き用の台紙への印刷はオフセット印刷で行える。印刷後型抜きした後でレンズと糸切り刃を挟み込んで接着する。
【００２１】
熱可塑性樹脂の中で堅いリサイクルの表示がプラの１番で化繊の代表ポリエステルやテトロン（登録商標）にあたるペットボトルの樹脂による一体構造であれば糸切り刃のサビの心配は無い。ペットボトルのプロー形成の工程で素材を熱い飲料と冷たい飲料を入れる場合で形成時の加熱処理の方法を変えて強度を飲料に合わせている。この技術で糸切り刃の強度を維持できて硬度もある加熱処理方法を行う。このようにすることでペットボトルの樹脂で作る場合は一体構造も可能である。糸を切断する為の刃は樹脂素材の中ではアクリルで作ると切れ味は良い。一体構造のプラスチック形成で作る場合は、紙に印刷する場合と異なり台紙に凹凸があるのでオフセット印刷ではなくシルクスクリーンでのマテリアル印刷が良い。フレネルレンズでなく凸レンズであればなおさらである。食器の内側にプリントする時やネイルアートの模様をプリントする時に使う風邪を引いて頭を冷やす時に使う氷嚢状の孔版印刷なら凹凸がある物にもプリント出来る。
【００２２】
裁縫をする時に手元に小バサミが無いく少し離れた所に置いてしまったり裁縫箱から出していないと中には糸を歯で切る人もいるが糸の先が揃わず唾を付けて針穴に糸を通そうと苦労している人を見かける。針と糸の構造を理解して道具が揃っている事に加えて作業の手順がしっかり出来ていれば糸通しの負担が減る。一言で言えばコツとなるが根拠があり手順を理解することで失敗を回避すると同時にスムーズに作業を行える。
【００２３】
２１世紀にとなり２０世紀初頭は注文服の時代であったが現在は、既製服の時代となりデパートから婦人服のオーダー部が無くなった。最近では洋裁を学び熟知した世代の高齢化も進み疾病によりベテランの視力が衰えたり歯が入れ歯や差し歯になってしまったり手が小刻みに震えるのでコツをつかんでいても糸の扱いが大変になっている人が多い。オートクチュールの大御所の引退も多いが、ビジネスとしての引退であり既製服とは異なりフルアイテムで１セット作れば作品の発表は、続けられるので作品としての創作活動はライフワークとして続ける人が多い。これとは別に高齢化して子育てや家事や介護から解放されて趣味として最初に手芸を初めて本格的に洋裁を始める層もいる。
【００２４】
若いときは既製の高級ブランド品を愛用して目の肥えている人が既製品に物足りなさを感じ変化と刺激を求めて自分の感性をクリエイティブに表現した独創性（オリジナリティー）を求めて洋裁を始めるケースである。大量生産される既製服は手作りで服を作る接着芯やボタンを買うお金で手に入れられる程に値下がりしている。その既製服に物足りなさを感じコストがかさんでも自分で作る世代にもニーズがある。服も生活用品であればコスト意識は必要だが趣味や芸術の分野となると道具や材料にも相応のお金を使うものである。高齢となったり疾病で身体機能の衰えた洋裁のプロやベテランと着道楽を極めて自分で好きなように作る層を想定しているので針については使い易い構造と機能を有するため量産できなければ市販品より高い価格になるがコストは可能な限り抑える。
【００２５】
良く手芸を始める人がいるが服は着てみせる事ができるのに対して手芸作品だけでは、飾っておくしかなく服みたいに自然に見せられないので物足りなくなると思われる。広い応接室やリビングに手芸作品を飾って来客を楽しみに出来ると見せる事が出来るだろうが狭い部屋だと飾る場所が無い。洋裁をするにも製図を引いたり裁断する広い場所が必要でありミシンとロックミシンとアイロンは必要だがベテラン層は知識に加えて経験も道具を揃っていて場所も持っている。
【００２６】
身体能力は年輪を刻むごとに衰えてしまう。その負担を軽減するには道具に高齢化によって損なった身体機能を補うために道具に機能を加える事で苦手となってしまった作業の負担を軽減させ若い時と同様にする。本、考案はユニバーサルデザインの理念を念頭に置いているので若い人には、便利で使いやすい道具であり洋裁を教える時にルーペで糸の先を見せて説明すれば工程や手順といった段取りを理解するため上達も早まる。道具には、工業製品と手作りのクラフト製品がある。
【００２７】
フアッションデザインは、一人でデザインから製図に素材選びから縫製までこなせないと服として完成させられない。分業化により正確な指示が無いと作業ごとに細分化され分業化した所の裁量で変えられる危険がある。木を見て森を見ず。専門医の場合は、臓器を見て人を見ずとなってはバランス感覚が保てない。裁量権を削られると仕事としての満足度は下がるが管理や支配する側は服従させやすくなる。全ての裁量を持つと仕事の満足度が高まり思うように物を作らせる反面に管理する側の指示ミスに気付かずに事故を防止できない。服の場合トータルコーディネイト出来る様に頭から足の先とバックまで作ると自分のデザイン面積が増えるので満足度は高まる。工業製品のポスターと油絵の差があるのがオートクチュールの仕立てである。クリエクチュールというクリエィティブなクチュールと言うジャンルもある。創造性の高い服をデザインする縫製業である。一般的に服はＴＰＯ（時・場合・場所）によって、ほぼ２４時間着用する。帽子は外出時が基本であり男性の帽子は室内では脱ぐが女性の帽子は装飾品として、つまりヘッドドレスとして室内でも許される。
【００２８】
ヨーロッパでは高層建築が中世に行われていたがベルサイユ宮殿にトイレが無い事で知られるように例えば３階に住んでいる人が自分の排泄物を窓から道に捨てる時代である。一応、ルールとして「捨てるぞ」と３回叫んでから捨てることで下を歩いている人の頭にかからないようにしていたと言うから驚きである。帽子は、その予防の役目もあり文化として定着した。最近ではスポーツの時のキャップを被っている人か食品を扱うなどの制服着用時しか見かけない。バイクにヘルメット着用が義務づけられてから余計に少なくなった感じを受ける。帽子は顔に近いのでイメージを変えられる重要なアテイムである。帽子よりメガネは顔に付けるので印象が大きく変わる。
【００２９】
フレームの型やレンズの色などで大きく変えられる。光の屈折率を高めて度数が高くても薄いレンズを入れないとレンズの厚みに伴う型でも印象は変わる。分厚い一見、プリズムかと見間違えそうなシリンドリカルレンズが入ったメガネをかけた人と弁護士会館のエレベーターで乗り合わせた時には分厚いレンズの型に驚いた。薄型レンズと逆転の発想で屈折率の弱いレンズで実際は軽いレンズも面白いと思った。ガラスやレンズでは、額に入った絵のガラスが光を反射して見えずらい時に、紫外線
防止のコーティングされたガラス付きの額縁は市販されているのにミュージアムガラスと言うガラス自体は市販実用されておりショーウインドウに使われてするのに光の反射防止のコーティングが施された額縁が市販されていないのにはガッカリさせられた。コーティングはガラス面に蒸着加工すると可能であり市販のミュージアムガラスを額縁の大きさに切って入れれば良いだけである。
【００３０】
服の世界では素材感や質感と触感や色に風合いとデザインと素材と着用目的が当然、マッチしているが額縁に関しては、インテリアとして部屋にピッタリとコーディネイト出来る物が少ない。家具にしろ道具にしろミスマッチして部屋がコチャゴチャして見える位なら収納性を高めたデザインをした方が良いと思える。生活に必要な物だけ見える様に置いて道具は必要な時に取り出しやすい場所から容易に出せると言う事である。
【００３１】
人間工学と言う言葉が工業デザインの世界には出てくるが服の世界では着やすく着脱が容易な服であり、人体の動作と目的にシンクロするのは当然であり、道具と服の違いは、道具は必要な時だけ使うのに対して服は生活の中では寝ている時も着用しているので脱ぐのは入浴時ぐらいと言う点である。装飾品では指輪は入浴中も使用する。メガネは入浴中も使用するが就寝時には外す。化粧も基本的には入浴時に落とし就寝時にはナイトクリームで手入れするのに対し衣服は人体に密着している。虫歯の治療に遣われるカマルガムと言う水銀と銀スズ合金の場合は、ヨードを主としたうがい用イソジン液に反応して口内に変な味が残る。レジンと言う樹脂や金やセラミックなら変な味にならないだろう。金属アレルギーの場合は、大変である。さすがに縫い針を金属アレルギー用のセラミック針にすると針の中に鉄などの金属を入れて検針器で感知出来て磁石に吸着させられるだろうが手縫いのとき糸を針穴に通す事を容易にする事を目的として正面の断面が楕円形となるメリケン針の形状の特質を活用する事で針に裏面と表面の形状を作り表面から糸を通す形状とし糸を導く針穴の溝を従来より大きく取る事で糸を通しやすくなしても従来の糸と同じ強度を維持して運針時に指ぬきで針を強く押し込んでも使える構造の縫い針に応用する事は出来ても線加工品のバネを使う針には弾力の関係で難しいがスーパエンプラという樹脂のようにセラミックも進化を続けている。金属をセラミックや樹脂にコーティング゛しないで練り込んだ素材で強度や安全性は当然の事で金属アレルギーの対策となれば、この方法でも良い。図１５はコーティングを例としているが練り混みが出来ると金属部分の符号６３を省略できる。本、発明において細工が必要な物として針の内部構造がある。針にメッキをして色を付けるには通常の電気メッキの他に配色が必要な場合は、蒸着させたりする方法もある。小さな穴はレーザーやルーターで削ったり穴を開けたりできる。超微細加工の技術で薄膜をフォトレジスト（フイルムの感光材料）膜にして露光させてウエットプラズマやリアクティブイオンやビームや光アシストによるエッチングして加工もできる。薄膜は真空中の薄膜作成と蒸着法とスパッタ法と気相成長法がある。医療用の注射針にプラチナメッキしたりヘパリンをコーティングするには以上の技術の中で最適な方法を使う。裁縫用の針の太さを識別するメッキも通常の電気メッキの他に背景技術は沢山ある。
【００３２】
１９６０年代は服と友地（同じ生地）を使ったバックで揃えていたものである。服がインダストリアルデザイン化すると反動で原点回帰も起こる。工業製品のクラフト志向もある。物が有り余っているのに欲しい物が無い現象が続いている。機能とデザインだけ考えただけでは道具として欲しいとは思えない。どの様に使うか？何処で使うか？いつまで使うか？誰が使うか？長く使う事が出来てライフスタイルに合った工業製品は少ない。特に手縫いに使う裁縫道具は、何百年と変わらない物が多い。価格の高いミシンは高性能化していくのと対照的である。
【００３３】
今までは健康な人だけを考えて作れば良かったがノーマライゼーションやバヤフリー化で多様なニーズが増えている。障害者用と限定した発想ではなく、誰が使っても便利なデザインがユニバーサルデザインである。エレベーターを例とするとエレベーターは、障害者の為に発明された物でないが、バリアフリーを語る上で不可欠な物である。健康な状態でも高齢化すれば身体機能は落ちる。ＡＤＬ（日常生活動作）を落とさなければ息を引き取るまでのＱＯＬ（クオリティー・オブライフ・人生の質）は高いし当たり前の事を自分の納得出来るように、好きな様に出来る事でアメニティー（快適）を維持出来る。
【００３４】
障害者となれば機能を失い障害が固定した部位の当たり前の動作に制限がかかる。最悪なのは、目を瞑って安静にしていても痛み・苦しみ・痒みなどの自覚症状を伴う状態となる障害もある。この場合は、ＡＤＬが変動する。要介護度１〜５だの要支援だのと固定した状態で小健状態を維持出来るとは限らない。これば健康な人が治るけど死にそうな状態の病気になると経験できるかもしれない。風邪をこじらせて肺炎になれば歩くのも大変だがこの状態が続いても介護認定では自立か要支援となる。なぜならトイレには行けるからだそうだ。
【００３５】
障害者の場合は、外見で解る状態が大きく取り上げられているが障害等級で中〜重度は外出を控えるので馴染みは無いと思われる。移動コストを考えると障害の重さとサポートがシンクロしていない事が多い。障害者用無料パスが支給されても公共交通機関を利用出来ない人やタクシー券が支給されても寝たきりで介助者のコストが払えず外出を控えるなど色々である。ニーズが多様なので工業製品として障害者用の道具は、極端に大量生産出来ないが誰もが使いやすい物は、逆に量産できる。
【００３６】
障害者は日常生活動作（ADL）が下がるので以前は裁縫は介護としてやって貰うしかなかったが、日常生活動作の全てが出来ない訳でなく長時間だと座っている事が出来なくて殆ど寝ているが５０ｍなら歩ける等の制約の中で生活している人もいる。視力障害の一級でも電子手帳の液晶の文字なら読める人もいる。ＡＤＬを失わず自転車で走り回れるが免疫不全の障害があったり五体満足でも内部障害で疾病を伴いＡＤＬが殆ど無く電動車椅子の人もいれば自走式の車椅子でパラリンピックに参加できる人まで様々である。健常者と障害者と言う分類では分けられない複雑さがある。中には障害者手帳の等級が１級となる障害が重複している人もいる。平らな所なら歩けるが階段は昇れないないがエスカレーターなら使えると言う人もいる。
【００３７】
福祉の道具では寝たきりなので寝返り介護ベットやシートクッションや車椅子を発明したり機能自分の義手を発明した発明家に車椅子をデザインした車椅子に乗った工業デザイナーが有名である。健康な人でもエレベーターは便利だから使うのと同じく誰が使っても便利で快適なのがユニバーサルデザインの理念である。電動ミシンには足踏み式コントローラーと別に手元で操作出来るスイッチが付いている物もある。
【００３８】
エレベーターは障害者用に限定して開発された物だという話は聞いた事がない。本、発明は洋裁人口の減少とベテラン層の高齢化を考慮して糸を通しやすい機能を向上させると同時に道具が手元に無いから歯で糸を噛み切ったりしないで済むと同時に手元になければ始まらない道具にルーペと小バサミの機能を持たせる事で立ち上がって道具を取りに行ったりする手間を省くものである。つまり手間がかかったり面倒な作業は、誰もがイヤであるから省略出来る部分は省略すると言う事である。作業工程で道具を探す時間はムダであり道具は必要な時に所定の場所に有るべき物だと言う事でもある。
【００３９】
ピンからキリまでと言うが、キリは「〜してもきりがない」と悪い意味に使われる。ピンは抜きんでていると言う事だが縫い針がピンクッションから抜け落ちると困るしピンクッションに入り込みすきでも困る。裁縫道具の構造を変える事で問題を解決したのが本、発明である。昔の道具は、職人が自分用にオーダーメイドしていた。ゴルフのシャフトや野球のバットのテーラーメイドやオーダーメイドの需要があるのだから洋服が工業製品化した分、家庭用品や道具類はオーダーメイド化してクラフト品に近づいていくか工場の道具をクラフトにも導入してクラフト品が工業製品に近づく。インダストリアルデザインでは、クギは大量生産品だから安く作れるが鉄を削って一本だけ作ると膨大な値段になると言う事を例として聞く。クギを進化させるとネジになりマイナスドライバーしか無かったネジからプラスにすることでネジの中心にドライバーの中心がズレない様に固定できて回転しやすくプラスにすることでマイナスよりネジの頭が倍の強さになると言う発明で特許が降りている。縫い針にも機能を加えて進化させることで便利にしたのが本、発明の一部でもある。
【００４０】
１００円ショップに時計のムーブメントが並んでいて手作り用の文字盤まで売っている。しかも文字盤用の数字まで揃っている。家庭用やホビー用のプラスチック射出形成機がミシン並みの価格で市販されたら売れるだろう。家庭でプラスチックを加工して小物や食器や日用品の手作りを楽しめる。
【００４１】
コンピューターによる刺繍機能付きミシン並みの値段で印鑑などを掘る機械も売られているから小さな物なら金型も作る事が出来る。つまりオリジナルのボタンも作る事が出来る。服の格を決めるのは釦である。ファスナーを手作りするのは無理でもボタンを作ると裁縫の満足度も上がる。とくに重衣料の場合、ボタンは手縫いで力釦を付けるのが良い。ちなみにファスナーは色の種類が少ないので合う色の糸は売っていてもフアスナーの色合わせで困る事があるので生地を作ったり選ぶ場合は、ファスナーの色も考慮しておくと良い。
【００４２】
木工はホームセンターで小さな物はルーターで加工して大きな物は電器ノコギリで加工する感覚でプラスチックも加工出来ると趣味の幅も広がる。食器や家具から手作りパソコンまで色々である。家電品や自動車は、まだメーカーの名前が全面に出ているが、自動車の部品の共通化によりパソコンで言う所のＣＰＵやマザーボードやグラフイックボードやドライブが何処の物でパソコンのケースは何処のメーカーと言う方向でオリジナリティーを求める方向に向かうのと同じである。
【００４３】
いっそパッケージメーカーも有名ブランドになり高級高額化すれば、そのメーカー製の紙袋を持った人を町中で見かけるのではないかと思える。若い頃は、部屋にポスターを貼っていた人がファインアートを部屋に飾るのと同じに同じ機能と目的を果たせてもスティタスになる部分を求めるものである。進歩と変化は両輪であり原動力は創造性で燃料は好奇心で潤滑油は探求心である。特に服の著作権は難しいので特願２００３−１４６９９１の方法特許で証明を可能にすると良い。
【００４４】
糸巻きに機能を付けると糸を使う時に必要な事が可能となる。その為に糸巻き用の台紙にルーペと糸切りの機能を付ける以外にも小バサミ（糸切りバサミ・にぎりばさみ）にルーペを付けて針穴に糸を通すときに針穴が見える位置として親指用の保持具の付いた形状も発明した。
【００４５】
親指にルーペに糸切り刃を付けて固定出来しかも糸切りバサミの代用にするタイプも発明した。指ぬき（Ｔｈｉｍｂｌｅ）にルーペ付きであり糸通しの時に親指にはめることで針穴が見える構造と形状の物も発明した。通常は中指に付けて運針するが糸通しの時だけ親指に付け替えてルーペを嵌着するタイプである。
【００４６】
糸通しするルーペ用には保持具が必要なのでこれも発明した。保持具は親指の第２間接に支承（取り外し可能な状態で支える）ように嵌着（はめることである物をつける）し嵌脱（はめたり外したりする）可能に付ける。糸をつまむように持つとき親指の第一関節を曲げる時に出来るルーペと糸の間に出来る空間を利用してレンズで拡大して見られるようにする。と厚みが無く収納しやすい。平ゴムの伸び縮みを利用して親指の第２関節に付けたりマジックテープ（登録商標）（登録商標）で第２関節に巻いて固定したりするのが良い。レンズと指に糸を摘み持った位置との焦点や拡大率の関係で空間が必要となった場合は保持具を洗濯バサミ状のアタッチメント方式にして調整する事も考慮している。その場合は、蝶番を用いたりはめ込み式にしたりネジ式にしたり複雑な構造と組み合わせになるので糸通しするルーペ用の保持具はシンブルでコストを抑えられるように保持具は親指の第２間接に支承（取り外し可能な状態で支える）ように嵌着（はめることである物をつける）し嵌脱（はめたり外したりする）可能に付ける。糸をつまむように持つとき親指の第一関節を曲げる時に出来るルーペと糸の間に出来る空間を利用してレンズで拡大して見られるタイプを中心にする。このように使いやすい道具の組み合わせで作業が出来る。和裁道具と洋裁道具はハッキリ分類しずらいので裁縫用具として分類した。
【００４７】
同時に針刺し（Ｐｉｎ  ｃｕｓｈｕｏｎ・ピンクッション）にルーペ（虫眼鏡）を付けピンクッションを親指に固定する方法も発明した。ピンクッション自体にルーペを付ける方法とピンクッションに差し込める構造のルーペを使う方法である。ピンクッションは中に髪の毛を入れて針に油を付ける構造だがシリコンオイルを含ませたスポンジやフェルトを中に入れれば良い。縫製工場で使う工業用ミシンの糸道に使うシリコンスプレーが使える。手芸品店に無ければザバイバルゲーム用の電動エアガン用のシリコンスプレーを代用することでパッカリング防止や自転車の油の変わりにもなる。
【００４８】
裁縫箱（針箱）にもルーペを保持する機能とルーペを付けたタイプも発明した。針の管理は、ピンクッションを入れる針箱にマグネットを取り付けておけば針が輸送時の振動で抜けた場合でも紛失しないで箱の磁石にくっついている。床に落とした針を探す場合にはゴムマグネットをローラー状に巻いた器具を転がせば発見しやすい。ハードディスクのシリンダーヘッドを動かすのに使われている磁力の強いマグネットを棒に付けた器具であれば床をこすらないでも近くに針があれば吸い付く。
【００４９】
縫い針に関しては立体裁断に使うピン（Ｐｉｎｓ）みたいに曲がらないので折れるか紛失するまで使える。まち針や立体裁断に使うシルクピンは曲がりやすい金属なので縫い針と比較して消耗する量が多いのでコストをかけられないが縫い針は持ちが良いのでコストの問題もクリアできる。針および裁縫道具の構造と形状の独創性ある物を本出願の発明とする。同時に機能とコストを考慮して最善の組み合わせを実施する。ルーペの保持具の材質は、ゴムやビニールや樹脂や厚紙や布や革や金属で加工が容易でコストを押さえられる物を選ぶ。裁縫箱の場合には木材も考慮に入れる。医療用の注射針も同時に発明した。プラチナキューブと言う人工心肺は従来品が２〜３日に対して１〜２カ月の延命を可能にした程の技術である。人工心肺は、殆どの場合、心臓を一時的に止めて、心臓と肺の血液を人工心肺装置に迂回させてポンプを心臓の替わりにして血液から二酸化炭素を取り除き、酸素を供給する装置である。血液は人工物に触れると凝固しやすい。ペースメーカーの回転摩擦にも影響を受けるので磁力で浮かせて可動させている程である。しかも数時間単位で酸素を通して二酸化炭素を取り除く程の超微細な中空糸膜である。水中使用で錆が着かない中空糸膜を２層構造にする事で血液と接する側には穴が無い技術にカテーテルや血液チューブなどの表面に付けたヘパリンの技術を、輸液用の注射針のパイプ内径にコーティングする事で、コーティングされたヘパリンが点滴の逆流時の血液凝固を防止して針の刺し直しを未然に予防する。ヘパリンコーティングの技術は東洋紡がカテーテルや血液チューブにおいて実施しており、点滴用のトンボ針や注射針への応用は容易である。コーティング時に注射針にプラチナメッキが必要か現状の針にコーティングできるかと針の安全性と保存期間に問題が無ければ実施可能であり入院患者は、シリコン整の抑留針を何日間も血管に入れたままにするが外来での点滴や注射を必要とする患者も多い。医療費３割負担に加えて差額ベットの値段は地獄の針の山より高い。衣料から医療に繊維メーカーのホームページのオープニングが変わり製薬会社のホームページかとファッションを業とする者として複雑な気がする。（データソースはＡＳ１６０６１９ＳＵ−ＰＭ注  現在は私個人のスクラップ管理コードです。特許広開２００４−２６８５９３が実施・普及されると喜ばしい）
【背景技術】
【００５０】
縫い針や注射針を作る技術を使って針を作る。紙製の糸巻きは台紙の型抜き技術で作る。人工心肺装置に使用される血液中に酸素を送り込むプラチナ性の薄膜にヘパリンをコーティングする事で血液の凝固を防止する技術をパイプ状の注射に応用するのは容易である。ナノテクノロジーの進化によって蚊の針程の太さまで加工可能になっている。これ程、細いと通常の輸液用の注射針では大きすぎるだろうが注射針のパイプの内径部分にプラチナメッキしてヘバリンをコーティングすれば血液の凝固も防止できる。現在のヘパリン液と併用すれば良いだろう。酸素を血液に取り込む時にプラチナ性の薄膜にヘパリンをコーティングする事で血液の凝固を防止する技術を輸液用の注射針に使えば可能である。注射針は注射器との接合部分のプラスチックの色で針の太さを識別する。点滴用トンボ針はトンボ状の樹脂部分の色で針の太さを識別している。本、発明の、裁縫用の針なので加工は医療用に比べて容易である。医療用の針は形状は変わらないので医療現場での混乱を防止できる。樹脂製の糸巻き用台紙はプラスチックの形成技術で作る。小バサミは握りハサミとプラスチックの形成技術で作る。指ぬきは金属の加工技術とレンズ部分は樹脂の形成技術で作る。ピンクッションはフェルトの布に詰め物をして縫製する技術と樹脂の形成技術で作る。ルーペ（虫眼鏡）は樹脂の形成技術で作る。裁縫箱は樹脂の形成技術で作れるが木製の部分を加える場合は木工の技術も加えて作る。
【００５１】
糸を通さず針の穴に切り込みを入れるタイプは実用新案公開平６−４８５８８と登録実用新案第３０７３３６６と登録実用新案３０１４５３５があるが、このタイプでは運針の時に指ぬきを使うと針が針穴の形状のフック部分から折れてしまう欠点がある。特許公開２００２−２２４４８５の場合は指ぬきを使う運針をする場合にループがじゃまになる可能性があるため針の後ろに力を加える裁縫用には運針を必要としない作業に限定される。
【００５２】
以上の欠点を補い針の後ろから糸を引っかける構造の針は市販品を購入し実験したが本、発明で縫い針の太さと糸の太さと生地の厚みをシンクロさせる必要性の説明をしたが、針の後ろからはめ込むように引っかけると運針中に糸に力が加わり抜ける可能性があり二本取りでは使いづらい。縫い針に糸を通すためにルーペを親指に保持することで糸通しを容易にする先願は検索出来なかった。文房具として登録実用新案第３０８４４００号のルーペならスタンド付きなので糸通しのルーペとして市販のままでも裁縫用に転用可能である。これに本、発明の糸切り刃を加えると裁縫道具として裁縫箱にルーペを付けたりルーペ用保持具にルーペを付けて使わないでも裁縫用への転用が可能である。更にマグネットも加えるとミシンの金属部にも吸着させられる。市販品は本体の材質ＰＰ／ＰＣでレンズＰＭＭＡであった。但しレンズが重くスタンドが軽い材質なので安定して置くにはバランスが悪かった。この問題はルーペのスタンドに当たる部分をレンズの重量より裁縫箱を保持具にする事で解決した。
【００５３】
医療用でゴーグルみたいな電子顕微鏡を付けて細かな手術をする時には縫合用の糸を通せるだろうが手術前に針に糸を通さないと作業手順としてムダな時間になり患者に負担をかけると予測できる。ちなみに医療用の縫い針は、縫合用持針器を使う。医療用の縫合では指抜きを使わない。縫合用持針器でガッチリ針を掴むが裁縫では、ペンチやプライヤーで針を掴まない。基本は、指ぬきでの運針となるが縫い終わりの時には玉止めするので指で針の真ん中から少し針先寄りの部分を指で掴んで引き抜く必要がある。ツルツルの針を掴むのだから力が必要である。そこで針の指先で持つ事になる部分の形状に凹凸をつけて針を刺す時には負荷とならないで抜くときに指と針の摩擦を増やすことで通常の針より力を入れないで済むようにもした。
【００５４】
医療用の縫合では指抜きを使わない。縫合用持針器でガッチリ針を掴むが裁縫では、ペンチやプライヤーで針を掴まない。基本は、指ぬきでの運針となるが縫い終わりの時には玉止めするので指で針の真ん中から少し針先寄りの部分を指で掴んで引き抜く必要がある。ツルツルの針を掴むのだから力が必要である。そこで針の指先で持つ事になる部分の形状に凹凸をつけて針を刺す時には負荷とならないで抜くときに指と針の摩擦を増やすことで通常の針より力を入れないで済むようにもした。
【００５５】
裁縫の場合も縫い針の扱いには注意が必要であるから針箱の底にマグネットを取り付けて紛失を防止する機能を付けた。今まではマグネットピンクッションをつけるかボーリングのピンに似た形状を有する市販の磁石を使っていたり磁石をそのまま使っていたが重く堅い磁石が針箱の中で動くため他の道具を破損したりする危険があった。セラミックで針を形成するには、ろくろ法、石膏型成形法、スリップキャスト法では大きな物を作る技術なので縫い針や注射針を作れない。ピストン成形法、ＣＩＰ法、射出成形法といった緻密な加工技術が必要である。ナノコンポジット法で作り超音波加工用振動子を使って穴を開けたりの細工が必要である。加えて弾発的部分もあるため超可塑性加工の為にホットプレス法も必要である。電気を流す事の出来る超伝導セラミックスがあるので磁力を持たせれば検針器や磁石にも対応させて金属の針みたいに使える。
【００５６】
磁石と糸切り鋏も市販品があるのに裁縫道具に直接、機能としてに加えた道具として先願の
検索出来なかった。医療用の注射針も同時に発明した。人工心肺は、殆どの場合、心臓を一時的に止めて、心臓と肺の血液を人工心肺装置に迂回させてポンプを心臓の替わりにして血液から二酸化炭素を取り除き、酸素を供給する装置である。血液は人工物に触れると凝固しやすい。ペースメーカーの回転摩擦にも影響を受けるので磁力で浮かせて可動させている程である。しかも数時間単位で酸素を通して二酸化炭素を取り除く程の超微細な中空糸膜である。水中使用で錆が着かない中空糸膜を２層構造にする事で血液と接する側には穴が無い技術にカテーテルや血液チューブなどの表面に付けたヘパリンの技術を、輸液用の注射針のパイプ内径にコーティングする事で、コーティングされたヘパリンが点滴の逆流時の血液凝固を防止して針の刺し直しを未然に予防する。ヘパリンコーティングの技術は東洋紡がカテーテルや血液チューブにおいて実施しており、点滴用のトンボ針や注射針への応用は容易である。コーティング時に注射針にプラチナメッキが必要か現状の針にコーティングできるかと針の安全性と保存期間に問題が無ければ実施可能であり入院患者は、シリコン整の抑留針を何日間も血管に入れたままにするが外来での点滴や注射を必要とする患者も多い。
【発明の開示】
【発明が解決しようとする課題】
【００５７】
視力が落ちた高齢者はベテランでも針の穴に糸を通すのが苦手となる。２１世紀にとなり２０世紀初頭は注文服の時代であったが現在は、既製服の時代となりデパートから婦人服のオーダー部が消えた。最近では洋裁を学び熟知した世代の高齢化も進み疾病によりベテランの視力が衰えたり歯が入れ歯や差し歯になって糸切り歯で糸を切れなくなったり疾病や薬の副作用で手が小刻みに震えるので折角コツをつかんでいても糸の扱いが大変になっている人が多い。
【００５８】
身体能力は年輪を刻むごとに衰えてしまう。縫い針の管理も容易なように裁縫箱から落ちないように箱の底にゴムマグネット敷いて固定してマグネットピンクッションをつけるかボーリングのピンに似た形状を有する市販の磁石を使っていたが重く堅い磁石が針箱の中で動くため他の道具を破損したりプラスチックの頭部分が割れたりする危険を解決する。落とした針を探すのは腰を曲げたりしゃがんだりと大変な動作である。針を無くす事を予防することで探して拾う手間を無くす。従来の医療用針は輸液速度によって血液が逆流して針の内部が凝固する事が多くヘパリン液を注入していたが、これでも凝固する事があった。
【課題を解決するための手段】
【００５９】
視力が衰え糸通しの負担を軽減するには、針穴を見ることが出来ると同時に針と糸を持つ事が出来る裁縫道具があれば解決できる。その為に親指にルーペの保持具を付けたり裁縫箱にルーペの保持具や保持機能を有するルーペを付けた。高齢化によって損なった歯の身体機能を補うために糸切り歯を道具に機能として加える事で小バサミが手元に無くても手元にある糸巻きやルーペや指ぬきやピンクッションや虫眼鏡に付けた刃で着る事が出来るようにした。
【００６０】
苦手となってしまった糸通し作業の部分の負担を道具で軽減させ若い時と同様にする。本、発明はユニバーサルデザインの理念を念頭に置いているので若い人には、便利で使いやすい道具になる。手ぶれ防止機能の付いたデジタルカメラ（写真機）が市販されているが被写体は止まっているのに手ぶれが起こる場合は、撮れないブレを三脚を保持具にしたりレリーズでシャッターを押したりして補うことになる。カメラ自体に手ブレ補正機能が内蔵されていれば動いている物でも写せるので、特に身体機能が落ちていなくても便利な機能である。身体能力が落ちると補助する道具が必要となるのは裁縫も日常生活も同じである。
【００６１】
視力が落ちたり手ブレがあれば糸も通しづらいが道具や機能で課題を解決できる。縫い針の管理も容易なように裁縫箱から落ちないように箱の底にゴムマグネットを敷いて固定することで磁石が針箱の中で抜け落ちた針を吸い付ける構造にして危険を軽減する。形状記憶合金を使う場合も針は検針器で感知可能の材質を加えて作り磁石での吸着も可能にする。
従来のヘパリン液の注入に加えて注射針にプラチナメッキした上にペパリンでコーティングして針の内部での血液の凝固を防止する機能を加えた医療用注射針と点滴用トンボ針を使用する事で血液の凝固が激減する。金属アレルギーの場合は点滴用の太いシリコン製抑留針を
使っているがセラミック製の針を使用すれば苦痛が経る。但し針が折れた時の対策として金属探知器などで探せるようにセラミック内部に磁力にも反応する金属を入れる必要がある。
【発明の効果】
【００６２】
糸を入れやすい形状の針穴を有する針とバネ構造で針穴が糸を入れやすい形状になる針と針と糸を持った状態で使えようにルーペを保持する機能を付けた裁縫道具と糸を切るとき小バサミの代用となる糸切り用の刃を付けた裁縫道具や裁縫箱の組み合わせを使うことで糸通しがスムーズに出来るようになった。しかも針の紛失防止による危険も軽減した。注射針の内部での血液の凝固を防止する機能を加えた医療用注射針と点滴用トンボ針を使用する事で血液の凝固を減らす事で針の刺し直しを減らす。
【発明を実施するための最良の形態】
【００６３】
糸を通しやすい針は単品で販売を実施する。糸巻き用台紙は、手縫い糸かボタン糸を販売する時に使用している台紙から本、出願の台紙に変えることで販売促進と洋裁の普及になれば良い。自然環境を考慮して糸巻き用台紙はペットボトルやハンガーの樹脂を溶かしてリメイクしたり成分分解性プラスチックを使うと環境負荷が下がる。糸通しに使う裁縫道具を揃えて手順どおり使うことで、より便利に糸通しが出来る。糸を切る為の刃は、アクリルが切れ味は良かったので射出形成で作り易く環境負荷の少ない材質が良い。糸巻き用の台紙は使い捨てになる事を想定する必要がある。
【００６４】
糸を買ってくると台紙に機能が付いており単品・単体で使っても糸通しの作業を支援するルーペが付属しており糸を切断する刃まで付いているが針と揃えて使うことで工程分析に
もなるので手順通りに使えるように道具をコーディネイトする感覚で使う人の習慣に合わせて揃えて購入できるようにする実施が最良である。洋服の釦が取れたり裾がほつれたりした
場合の補修用に針と糸は必要最低限と材料と道具である。最近では、手縫いの裾上げが出来なかったり釦を付けられない人もいて裾上げテープや洋服のリフォームに出すのでこの二つは糸に説明書を付けたり手芸材料店の袋に印刷するのが良い。洋服メーカーでは洗濯表示は付けても補修方法の説明は付けていない。特願２００４−２０４０７４のアイデアでプリントして服に補修方法の説明を印刷すると良い。医療用の針は専門の企業が実施するべきである。
【実施例１】
【００６５】
裏と表の構造によって針穴の糸を導く溝を作ることは出来なかったが縫い針を作る技術があれば実施可能である。針については注射針の中に手芸針用の糸通し用の太めのバネ外して中を通して実験した。ルーペの保持具については、糸通しに平ゴムを通して親指に付けて実験した。凸レンズは小さいプラスチック製の虫眼鏡のレンズを使った。
【００６６】
フレネルレンズはハサミで切って実験できるが凸レンズと同じなので実験を省略した。保持具は平ゴムや輪ゴムやビニールテープに虫眼鏡を付けて実験した。糸切り刃はカッターの刃を折って糸巻きの台紙をハサミで切って接着して試したりセロテープ（登録商標）のアタッチメントやペットボトルの切断面を使って実験した。樹脂ではアクリルで作った糸切り刃が切れ味が良かった。裁縫箱にルーペを保持する時は虫眼鏡の持つ所をテープで仮止めして試した。レンズの材質を軽くすれば保持具もプラスチックで安定するがＰＭＭＡのレンズでは重い感じであった。レンズはフレネルレンズにしたり軽いプラスチックにするかガラスなら保持具部分の強度と重量のバランスが大切であった。プラチナにヘパリンコーティングして血液に酸素を送る時に血液を凝固する薄膜技術まで実施されている。注射針への実施は容易である。
【産業上の利用可能性】
【００６７】
裁縫をする為の道具なので縫製業向けとなるが手縫い用なので縫製工場向けと言うより注文服の仮縫い用のしろもと言う糸を使う時に使ったりボタンを付けたり裾を上げたりする時に使う。工場では釦付けミシンでボタンに糸足まで付ける事が出来るし裾上げもすくいミシンで行えるのでアパレルメーカーの企画室でサンブルを作る時に使ったりする時の道具と限定される反面、家庭でボタンぐらいは付けるので裁縫道具の中では需要は続く。製造や販売は、裁縫道具に分類されるが分類を大枠にすると家庭用品や日用品となる。
【００６８】
生活用品として利用可能である。家庭科や被服系の学校で使えば学用品にもなる。釦はミシンで付けた既製品の場合は手縫いより取れやすいので家庭では手縫いで補修する機会は、増えている。裾もスクイミシンの場合は、糸がほつれ易いので手縫いで補修する機会が増えている。中には裾上げテープで補修したり洋服のリフォームに出す人もいるが針と糸は補修用に必要である。ヘパリンコーティングの注射針は、医療分野で大いに活用される。
【図面の簡単な説明】
【００６９】
【図１】裏表を作り針穴に糸が導かれる縫い針
【図２】線加工したバネで針穴を広げた縫い針
【図３】線加工したバネで針穴を広げてパイプ構造を活かした縫い針
【図４】紙性の糸巻き台紙に拡大機能と糸切り機能を付けた糸巻き用台紙
【図５】樹脂の形成によって作られた拡大機能と糸切り機能を付けた糸巻き用台紙
【図６】ルーペと保持具と鞘の付いた小バサミ
【図７】保持具と糸切り刃を付けたルーペと、これにマグネットを加えた裁縫道具兼台所用品
【図８】嵌着可能の保持具の付いたルーペと糸切り刃を付けた指ぬき
【図９】親指に保持できるルーペに糸切り刃を付けたピンクッション
【図１０】ピンクッションに刺して固定して使うルーペと糸切り刃の付いた裁縫道具
【図１１】ルーペと糸切りを取り付けた裁縫箱
【図１２】市販のルーペ（虫眼鏡）を親指に付ける保持具
【図１３】針の腹に凹凸を付けて針を引き抜く時に力を入れる形状
【図１４】カラーメッキによって針の太さを識別できる針
【図１５】セラミックコーティングにより金属アレルギー対応した針
【図１６】プラチナメッキにヘパリンコーティングした注射針
【符号の説明】
【００７０】
１＝上面図
２＝底面図
３＝正面図
４＝側面図
５＝前面図
６＝後面図
７＝断面図
８＝横断面図
９＝凹凸部分
１０＝線加工品のバネ
１１＝圧下する部分
１２＝遊挿部
１３＝折曲部分
１４＝バネの圧下により針内部で後ろにスライドする
１５＝縫い糸やボタン付け糸
１６＝布地
１７＝上面
１８＝下面
１９＝バネが布を貫く時に圧下してスライドした状態
２０＝針
２１＝ピンクッション（針刺し）
２２＝腕に付ける平ゴム又はベルクロ
２３＝糸止め
２４＝糸巻き用台紙
２５＝糸切り刃
２６＝凸レンズ部分
２７＝親指に付ける為の平ゴム・ゴム・ベルクロ
２８＝紙製
２９＝樹脂製
３０＝フレネルレンズ
３１＝親指
３２＝小バザミ
３３＝小バサミ用の鞘
３４＝ペン刺し
３５＝高さ調整が必要な時にのみ使う親指用の樹脂製保持具
３６＝垂直を計る分銅の代用にも使える
３７＝人台（スタン・トルソー）
３８＝シルクピン
３９＝折り畳み可能に可動する
４０＝マグネット
４１＝マグネットで吸着させて使う
４２＝詰め物
４３＝フェルト
４４＝ねじ
４５＝ねじのキャップ
４６＝指ぬき
４７＝二重構造になっている
４８＝ルーペを差し込む
４９＝ルーペ装着図
５０＝指ぬきの通常（運針時）装着図
５１＝裁縫箱
５２＝スライド部分
５３＝吸盤で吸着させる
５４＝リング状スプリング（洗濯バザミ式）
５５＝市販の長針
５６＝市販の短針
５７＝市販のミシン針
５８＝市販の針の後ろから糸を挟み込む構造の針
５９＝図１の針（本、発明品）
６０＝図２の針（本、発明品）
６１＝図３の針（本、発明品）
６２＝メッキによる色分け、配色により針の太さや種類を識別する
６３＝検針器や磁力に対応する為の金属部分
６４＝セラミックやエンジニアリングプスチックで保護した部分
６５＝プラチナメッキの上か現状の金属にヘパリンコーティングを加えた針
６６＝通常のミシン針を取りる参考図
６７＝「色彩」に特徴を有する場合に円内に示す平行線を用いて識別する（表す）記号
６８＝注射針
６９＝注射針用キャップ
７０＝パイプ内部
７１＝点滴用のトンボ針（使用前）
７２＝点滴用のトンボ針（使用後）
７３＝針が看護師の手に刺さる事故防止に針先側へスライドする
７４＝注射針の太さを樹脂部分で色分けしてしている
７５＝注射針のパイプの内部にヘパリンをコーティングする
７６＝裁縫箱にルーペをスライド可能に取り付ける為の溝の断面図３種類
７７＝符号７６の断面図３種類の中から最適の構造を選択する。
【図１】
2005066357.tif 000003
【図２】
2005066357.tif 000004
【図３】
2005066357.tif 000005
【図４】
2005066357.tif 000006
【図５】
2005066357.tif 000007
【図６】
2005066357.tif 000008
【図７】
2005066357.tif 000009
【図８】
2005066357.tif 000010
【図９】
2005066357.tif 000011
【図１０】
2005066357.tif 000012
【図１１】
2005066357.tif 000013
【図１２】
2005066357.tif 000014
【図１３】
2005066357.tif 000015
【図１４】
2005066357.tif 000016
【図１５】
2005066357.tif 000017
【図１６】
2005066357.tif 000018
【手続補正書】
【提出日】平成16年11月16日(2004.11.16)
【手続補正１】
【補正対象書類名】明細書
【補正対象項目名】００１３
【補正方法】変更
【補正の内容】
【００１３】
この問題を克服する為に針穴の後ろから糸を引っかけるタイプの針、親孝行針＝セルフ針（めくら針と昔は呼ばれていた）も市販されているが縫っている途中で糸が抜けないか不安であると同時に糸を２本どりにして玉結びを行うボタン付けの場合は、太めのボタン付け糸の長さと玉結びした部分から同じ糸の長さにするためと糸に抵抗がかかる可能性もある。それで糸に傷が着くとパッカリングが起こり糸が綻びやすくなる。場合によっては解いて縫い直しとなる。無事に縫い終えると玉どめして糸を切って縫い工程は終わる。玉止めの時は、針を指で摘んで引き抜く時に滑らないように針を指でつまむ部分に凹凸を付ける。
【手続補正２】
【補正対象書類名】明細書
【補正対象項目名】００２１
【補正方法】変更
【補正の内容】
【００２１】
熱可塑性樹脂の中で堅いリサイクルの表示がプラの１番で化繊の代表ポリエステルやテトロン（登録商標）にあたるペットボトルの樹脂による一体構造であれば糸切り刃のサビの心配は無い。ペットボトルのプロー形成の工程で素材を熱い飲料と冷たい飲料を入れる場合で形成時の加熱処理の方法を変えて強度を飲料に合わせている。この技術で糸切り刃の強度を維持できて硬度もある加熱処理方法を行う。このようにすることでペットボトルの樹脂で作る場合は一体構造も可能である。糸を切断する為の刃は樹脂素材の中ではアクリルで作ると切れ味は良い。一体構造のプラスチック形成で作る場合は、紙に印刷する場合と異なり台紙に凹凸があるのでオフセット印刷ではなくシルクスクリーンでのマテリアル印刷で特にパッド印刷（古くはタコ印刷とも呼ばれていた）が良い。フレネルレンズでなく凸レンズであればなおさらである。食器の内側にプリントする時やネイルアートの模様をプリントする時に使う風邪を引いて頭を冷やす時に使う氷嚢状の孔版印刷なら凹凸がある物にもプリント出来る。